(57)【要約】【課題】人間の触覚によって光ディスク媒体の表裏や光ディスク媒体に関する情報を容易に確認することが可能な光ディスク媒体及びこの光ディスク媒体に識別情報を記録する光ディスク装置を提供する。【解決手段】同心円状または螺旋状に形成されたトラックを有するディスク媒体に光ビームを照射してデータを記録再生する光ディスク装置において、前記ディスク媒体に対物レンズを介して前記光ビームを照射するピックアップ６５と、このピックアップ６５をディスク媒体の内周側に形成されたスタックリング３３から最外周位置まで往復移動させる移動手段６８と、移動手段６８によってスタックリング３３まで移動されたピックアップ６５に対して、記録時のレーザパワーよりも大きいレーザパワーでスタックリング３３に光ビームを照射するよう制御する制御手段９０とを具備することを特徴とする。【選択図】      図６
2004171665.tif 000002
【特許請求の範囲】
【請求項１】
データが記録される記録面とこの記録面と対向する面であるレーベル面とを有し、前記レーベル面に凸状部が形成されることを特徴とするディスク媒体。
【請求項２】
前記凸状部は、点字で形成されることを特徴とする請求項１記載のディスク媒体。
【請求項３】
前記凸状部は、前記レーベル面に等間隔で形成されることを特徴とする請求項１記載のディスク媒体。
【請求項４】
前記凸状部は、前記レーベル面の外周縁付近に複数形成されることを特徴とする請求項１記載のディスク媒体。
【請求項５】
前記凸状部は、前記外周縁を上方向として形成されることを特徴とする請求項４記載のディスク媒体。
【請求項６】
データが記録される記録面とこの記録面より内周側に備えられたスタックリングとを有し、このスタックリングに凹状部が形成されることを特徴とするディスク媒体。
【請求項７】
同心円状または螺旋状に形成されたトラックを有するディスク媒体に光ビームを照射してデータを記録再生する光ディスク装置において、
前記ディスク媒体に対物レンズを介して前記光ビームを照射するピックアップと、
このピックアップを前記ディスク媒体の内周側に形成されたスタックリングから最外周位置まで往復移動させる移動手段と、
前記移動手段によって前記スタックリングまで移動された前記ピックアップに対して、記録時のレーザパワーよりも大きいレーザパワーで前記スタックリングに前記光ビームを照射するよう制御する制御手段とを具備することを特徴とする光ディスク装置。
【発明の詳細な説明】
【０００１】
【発明の属する技術分野】
本発明は、光ディスク媒体及びこの光ディスク媒体に識別情報を記録する光ディスク装置に関する。
【０００２】
【従来の技術】
光ディスク媒体は大容量のデータを記録再生する手段として盛んに開発が行われている。これまでの記録可能な光ディスク媒体は、コンピュータ用途におけるデータのバックアップ等に広く使用されてきたが、大容量化に伴い従来のコンピュータ用途だけでなく、映像や音楽データの記録にも使用されるようになってきた。
【０００３】
ところで、この光ディスク媒体に記録された映像や音楽データが何であるか、ユーザが視覚的に認識するために光ディスク媒体のレーベル面上に、文字、描画、模様パターン或いは写真の映像を含むものを表示した光ディスク媒体がある（例えば、特許文献１参照）。
【０００４】
【特許文献１】
特開２０００−９０５０１号公報（第２図）
【０００５】
【発明が解決しようとする課題】
しかしながら、このような従来の光ディスク媒体では、視覚的な情報のみであったため、視覚障害を持つ人はその情報を自ら確認することは困難であった。また、健常者にとっても、車載オーディオ機器のように暗い環境下では光ディスク媒体の表裏を判別するのは困難であった。
【０００６】
そこで、本発明は上記の問題を解決するために成されたものであり、人間の触覚によって光ディスク媒体の表裏や光ディスク媒体に関する情報を容易に確認することが可能な光ディスク媒体を提供することを目的とする。
【０００７】
【課題を解決するための手段】
この発明は、上記の目的を達成するために、データが記録される記録面とこの記録面と対向する面であるレーベル面とを有し、前記レーベル面に凸状部が形成されることを特徴とする。
【０００８】
上記の構成により、目の不自由な人が使用しても凸状部を触って、ディスクに記録されているタイトル等の情報を容易に知ることができる。
この発明は、上記の目的を達成するために、データが記録される記録面とこの記録面より内周側に備えられたスタックリングとを有し、このスタックリングに凹状部が形成されることを特徴とする。
【０００９】
上記の構成により、ユーザはディスクに形成されたスタックリングを触ることで、ディスクの表裏判別を容易に知ることができ、さらに、スタックリング上に凹状部が形成されるため、情報記録面を触って傷をつけることを防止することができる。
【００１０】
【発明の実施の形態】
以下、図面を参照して本発明の実施の形態について詳細に説明する。
（第１の実施形態）
図１は、本発明が適用される光ディスク媒体の一実施例を示す概略上面図であり、図２は図１の厚さ方向の断面図である。
１０は、例えばＣＤ（Ｃｏｍｐａｃｔ  Ｄｉｓｋ）、ＣＤ（Ｃｏｍｐａｃｔ  Ｄｉｓｋ）−Ｒ（Ｒｅｃｏｒｄａｂｌｅ）／ＲＷ（ＲｅＷｒｉｔａｂｌｅ）、ＤＶＤ（Ｄｉｇｉｔａｌ  Ｖｅｒｓａｔｉｌｅ  Ｄｉｓｋ）−ＲＯＭ（ＲｅａｄＯｎｌｙ  Ｍｅｍｏｒｙ）、ＤＶＤ（Ｄｉｇｉｔａｌ  Ｖｅｒｓａｔｉｌｅ  Ｄｉｓｋ）−ＲＡＭ（Ｒａｎｄｏｍ  Ａｃｃｅｓｓ  Ｍｅｍｏｒｙ）等の光ディスク媒体である。
【００１１】
１は、この光ディスク媒体１０に記録された情報のタイトル（ここでは、電子図鑑）である。電子図鑑１は通常の印刷で作成されたものである。２乃至５は、この電子図鑑１を識別情報として点字で表記したものであり、図２に示すように突起（凸状部）で構成されている。
【００１２】
また、凸状部２乃至５は、それぞれ外周縁方向を上方向として形成されており、図１では凸状部２は上方向、凸状部３は左方向、凸状部４は右方向、凸状部５は下方向がそれぞれ点字列の上方向となる。このため、例えば図１の光ディスク媒体１０を右に９０度回転させた場合、凸状部３が凸状部２の位置にくるが、この場合の凸状部３は図１の凸状部２と同じく上方向が点字列の上方向となる。
【００１３】
これらにより、触覚によって光ディスク媒体１０に記録された情報のタイトルを認識でき、点字列の突起によってレーベル面であることの認識が可能となり、障害者にとってはこの光ディスク媒体１０に記録されているものが何であるかを認識することができる。また、外周縁付近に点字列が複数あるため、外周縁に触れてすぐにこの点字列を確認することが可能になる。そして、点字列は外周縁方向を上方向として配置しているため、光ディスク媒体１０が異なる角度で配置されていた場合でも、点字列の読み取り方向は一定となり、読取りが容易となる。
【００１４】
さらに、凸状部はレーベル面に等間隔で形成されることが望ましい。凸状部が等間隔で形成されていなければ、光ディスク媒体１０を回転駆動させた場合、凸状部の重みで偏重心が生じてしまい、情報の記録または再生に悪影響を及ぼしてしまうからである。
【００１５】
図３は、追記型光ディスク媒体の一実施例を示す概略上面図である。
２０は、この記録媒体に記録可能な容量（ここでは、４．７ギガバイト）と追記型の記録媒体であることを示したものである。４．７ＧＢ追記型ディスク１１は、通常の印刷で作成されたものである。
【００１６】
凸状部１２乃至１５は、４．７ＧＢ追記型ディスク１１を図２で示す突起で構成された点字で表記したものである。これによって、この記録媒体に記録可能な容量と追記型（書換はできない）であることが、触覚によって確認できるようになる。また、点字列の突起によってレーベル面であることの認識が可能になる。また上記同様、外周縁付近に点字列が複数あるため、外周縁に触れてすぐにこの点字列を確認することが可能になる。そして、点字列は外周縁方向を上方向として配置しているため、本記録媒体が異なる角度で設置されていた場合でも、点字列の読み取り方向は一定となり、読み取りが容易となる。さらに、凸状部は等間隔で形成されているため、凸状部の形成によってディスクの偏重心を引き起こすことはなくなり、安定した情報の記録または再生を行うことができる。
【００１７】
（第２の実施形態）
以下、第２の実施形態として、光ディスク媒体のスタックリングに設けられた凹状部について説明する。。
図４は、ＣＤの断面図である。なお、この図は理解を容易にするために模式的に描かれ実際の寸法及び縮尺割合とは異なっている。
２１は、ポリカーボネート樹脂等の透明樹脂からなる射出成形により形成された直径１２ｃｍの円盤状の基板で、一方の面は情報を示す凹凸からなるピットを有する情報記録面であり、他方の面は光ディスクの１面であり記録された情報を読み出すためのレーザ光が入射される情報読取面３１である。２２は、情報記録面上に形成されたアルミニウム膜からなる反射膜、２３はこの反射膜２２上に設けられた保護膜で、この保護膜２３はアクリル系紫外線硬化型樹脂をスピンコートにより塗布し、紫外線を照射して硬化させることにより形成される。そして、この保護膜２３上には印刷が施され、情報読取面１１の反対側の面であるレーベル面３２となる。尚、保護層２３の厚さは、その厚さ割合からすると実質的には厚みのない層として扱われる。
【００１８】
３３は、基板２１の射出成形時に同時に成形されたスタックリングで、光ディスク媒体Ｄの中心Ｃから半径１６．５ｍｍ乃至２２ｍｍの間で、光ディスク媒体Ｄと同心円状に幅およそ１ｍｍ強、基板２１面（情報読取面３１）から高さ約０．２ｍｍの大きさに形成されている。尚、光ディスク媒体Ｄには、中央部に中心Ｃと同心円状に直径１５ｍｍのセンターホールＨが設けられ、センターホールＨの外側には、やはり中心Ｃと同心円状に半径１３ｍｍ乃至１６．５ｍｍの間に図示しない情報再生装置のクランプ機構によって保持されるクランプ領域が設けられている。そして、中心Ｃから半径２３ｍｍの位置から外側が情報の記録される領域として設定され、この領域において情報読取面からの情報の読み取りが行われる。
【００１９】
図５は、図４の矢印Ａ方向からみたＣＤの模式図である。
光ディスク媒体Ｄに形成されたスタックリング３３に窪み状の凹状部３５が設けられている。この凹状部３５は後述するレーザ光により形成される。ユーザは、車載オーディオ機器のように暗い環境下では、この凹状部３５を触って光ディスク媒体Ｄの表裏を判別することができる。さらに、この凹状部３５はスタックリング３３に設けられているため、光ディスク媒体Ｄの情報記録面３１を触って傷付けずにすむことができる。
【００２０】
次に、この凹状部を形成する光ディスク装置について説明する。
図６は、光ディスク装置の構成を示すブロック図である。
図６に示すように、光ディスク媒体Ｄはスピンドルモータ６３によって回転駆動される。光ディスク媒体Ｄに対する情報の記録または再生は、光ピックアップ６５によって行われる。光ピックアップ６５は、スレッドモータ６６とギアを介して連結されており、このスレッドモータ６６はスレッドモータ制御回路６８により制御される。
【００２１】
スレッドモータ制御回路６８に速度検出回路６９が接続され、この速度検出回路６９により検出される光ピックアップ６５の速度信号がスレッドモータ制御回路６８に送られる。スレッドモータ６６の固定部に、図示しない永久磁石が設けられており、駆動コイル６７がスレッドモータ制御回路６８によって励磁されることにより、光ピックアップ６５が光ディスク媒体Ｄの半径方向に移動する。光ピックアップ６５の半径方向への移動では、光ディスク媒体Ｄに形成されたスタックリング３３の位置まで移動させることができる。
【００２２】
光ピックアップ６５には、図示しないワイヤ或いは板バネによって支持された対物レンズ７０が設けられる。対物レンズ７０は駆動コイル７２の駆動によりフォーカシング方向（レンズの光軸方向）への移動が可能で、又駆動コイル７１の駆動によりトラッキング方向（レンズの光軸と直交する方向）への移動が可能である。
【００２３】
変調回路７３は情報記録時にホスト装置９４からインターフェース回路９３を介して供給されるユーザデータを、例えば８−１４変調（ＥＦＭ）してＥＦＭデータを提供する。レーザ制御回路７５は情報記録時（マーク形成時）に、変調回路７３から供給されるＥＦＭデータに基づいて、記録用信号を半導体レーザダイオード７９に提供する。又、レーザ制御回路７５は情報読取り時に、前記記録用信号より小さい読取り用信号を半導体レーザダイオード７９に提供する。なお、光ディスク媒体Ｄに形成されたスタックリング３３に照射する場合には、変調回路７３はＣＰＵ９０から特定の記録パターンを受け取り、この記録パターンでスタックリング３３にレーザ光を照射させる。また、このときＣＰＵはレーザ制御回路７５に対して、情報の記録時のレーザ照射パワーよりも大きいパワーで照射するようにも指示する。
【００２４】
半導体レーザダイオード７９はレーザ制御回路７５から供給される信号に応じてレーザ光を発生する。半導体レーザダイオード７９から発せられるレーザ光は、コリメータレンズ８０、ハーフプリズム８１、対物レンズ７０を介して光ディスク媒体Ｄ上に照射される。光ディスク媒体Ｄからの反射光は、対物レンズ７０、ハーフプリズム８１、集光レンズ８２、およびシリンドリカルレンズ８３を介して、光検出器８４に導かれる。
【００２５】
光検出器８４は、４分割の光検出セル８４ａ〜８４ｄから成る。光検出セル８４ａ〜８４ｄの出力信号は、電流／電圧変換用のアンプ８５ａ〜８５ｄ、加算器８６ａ〜８６ｄを介して差動アンプＯＰ１、ＯＰ２に供給される。
【００２６】
差動アンプＯＰ２は、加算器８６ａ、８６ｂの両出力信号の差に応じた、フォーカスエラー信号ＦＥを出力する。この出力はフォーカシング制御回路８７に供給される。フォーカシング制御回路８７の出力信号（フォーカス制御信号ＦＣ）は、フォーカシング駆動コイル７２に供給される。これにより、レーザ光が光ディスク媒体Ｄの記録膜上に常時ジャストフォーカスとなる制御がなされる。
【００２７】
差動アンプＯＰ１は、加算器８６ｃ、８６ｄの両出力信号の差に応じたトラッキングエラー信号ＴＥを出力する。この出力はトラッキング制御回路８８に供給される。トラッキング制御回路８８は、差動アンプＯＰ１からのトラッキングエラー信号に応じてトラック駆動信号を生成する。
【００２８】
トラッキング制御回路８８から出力されるトラック駆動信号は、トラッキング方向の駆動コイル７１に供給される。又、トラッキング制御回路８８で用いられるトラッキングエラー信号が、スレッドモータ制御回路６８に供給される。
【００２９】
上記フォーカシング制御およびトラッキング制御がなされることで、光検出器８４の各光検出セル８４ａ〜８４ｄの出力信号の和信号には、つまり加算器８６ｃ、８６ｄの両出力信号を加算する加算器８６ｅの出力信号には、記録情報に対応して光ディスク媒体Ｄのトラック上に形成されたピットなどからの反射率の変化が反映される。この信号は、データ再生回路７８に供給される。
【００３０】
データ再生回路７８は、ＰＬＬ回路７６からの再生用クロック信号に基づき、記録データを再生する。
上記トラッキング制御回路８８によって対物レンズ７０が制御されているとき、スレッドモータ制御回路６８により、対物レンズ７０が光ピックアップ６５内の中心位置近傍に位置するようスレッドモータ６６つまり光ピックアップ６５が制御される。
【００３１】
モータ制御回路６４、スレッドモータ制御回路６８、変調回路７３、レーザ制御回路７５、ＰＬＬ回路７６、データ再生回路７８、フォーカシング制御回路８７、トラッキング制御回路８８、タイムシフト制御回路９８等は、サーボ制御回路として１つのＬＳＩチップ内に構成することができ、又これら回路はバス８９を介してＣＰＵ９０によって制御される。ＣＰＵ９０はインターフェース回路９３を介してホスト装置９４から提供される動作コマンドに従って、この光ディスク装置１００を総合的に制御する。またＣＰＵ９０は、ＲＡＭ９１を作業エリアとして使用し、ＲＯＭ９２に記録された本発明を含むプログラムに従って所定の動作を行う。
【００３２】
このような構成により、光ピックアップ６５はスレッドモータ６６の制御により光ディスク媒体Ｄに形成されたスタックリング３３の位置まで移動させることができ、光ピックアップ６５がスタックリング３３に移動された場合は、ＣＰＵ９０は変調回路７３及びレーザ制御回路７５を制御して、情報を記録する際のレーザ照射パワーよりも大きいパワーで、スタックリング３３上にレーザ光を照射させる。これにより、光ディスク媒体Ｄのスタックリング３３上には窪み上の凹状部３３が形成され、ユーザはこの凹状部３３を触ることで、光ディスク媒体Ｄの表裏を判別することができる。
【００３３】
また、この様にスタックリングに凹状部を形成させることは、通常の情報の記録再生も行う光ディスク装置に新たな回路を設けることなく実施可能である。また、図示しない表示部に「スタックリングへの凹状部の形成をするか？」というメッセージを出して、ユーザの選択のもと行うようにしてもよい。
【００３４】
なお、本発明は、上記実施形態に限定されるものではなく、実施段階では、その要旨を逸脱しない範囲で種々に変形することが可能である。
【００３５】
【発明の効果】
以上のように、第１の実施形態によれば、識別用情報としてレーベル面に点字（凸状部）を設けることで、触覚によってディスクの表裏判別またはディスクに関する情報を得ることができる。また、凸状部を外周縁付近に複数設けることで、触覚によって外周縁を認識して直ぐに凸状部を認識することができる。さらに、凸状部をレーベル面上に等間隔に配置することで、ディスクの偏重心を引き起こすことを防止することができる。
【００３６】
第２の実施形態によれば、ディスクのスタックリング上に窪み上の凹状部を設けることで、ディスクの表裏判別を簡単に行うことができる。また、スタックリング上に設けたことで、情報記録面を傷つけることを防止することができる。さらに、通常の光ディスク装置の構成を殆ど変更する必要はなく、スタックリング上に凹状部を形成することができる。
【図面の簡単な説明】
【図１】本発明が適用される光ディスク媒体の一実施例を示す概略上面図である。
【図２】図１の厚さ方向の断面図である。
【図３】追記型光ディスク媒体の一実施例を示す概略上面図である。
【図４】ＣＤの断面図である。
【図５】図４の矢印Ａ方向からみたＣＤの模式図である。
【図６】光ディスク装置の構成を示すブロック図である。
【符号の説明】
Ｄ    光ディスク媒体
２、３、４、５、１２、１３、１４、１５    凸状部
３１    情報記録面
３３    スタックリング
３５    凹状部
６３    モータ
６９    チルト制御回路
７０    対物レンズ
７１、７２    レンズ駆動コイル
７９    レーザダイオード
８０    コリメータレンズ
８１    ハーフプリズム
８２    集光レンズ
８３    シリンドリカルレンズ
８４ａ〜８４ｄ    光検出セル
【図１】
2004171665.tif 000003
【図２】
2004171665.tif 000004
【図３】
2004171665.tif 000005
【図４】
2004171665.tif 000006
【図５】
2004171665.tif 000007
【図６】
2004171665.tif 000008